(57)【要約】【課題】個人情報のデータの全てを用意することなく通信網を介して必要な情報を簡易に伝達することを可能にし、さらに、名刺送受信者間での連絡をおこなうことなく、簡易な操作のみで受け取った個人情報の更新を可能にした、電子名刺システムを提供する。【解決手段】ＣＰＵ３とメモリ４と通信部５とを有し、ＣＰＵ３は名刺用個人データを含む名刺イメージ６１にアドレス６２を割り当てると共に名刺イメージ６１とアドレス６２とを記憶手段に格納し、アドレス６２を指定して要求される名刺取得要求に応じて、アドレス６２に対応する名刺イメージ６１を選択し、通信部５を介して携帯電話１２へ送信する、サーバ装置２を備えた電子名刺システム１を構成する。【選択図】図１
2010009322.tif 000002
【特許請求の範囲】
【請求項１】
通信網に接続されたサーバ装置を備えた電子名刺システムであって、
上記サーバ装置は、処理手段と記憶手段と通信手段とを備え、
上記処理手段は、名刺用個人データを含む名刺イメージに名刺ＩＤを割り当てて上記記憶手段に格納し、移動通信端末から名刺ＩＤを指定して名刺取得要求がなされた際は、指定された名刺ＩＤに対応する名刺イメージを上記記憶手段から抽出し上記通信手段を介して移動通信端末へ送信する、電子名刺システム。
【請求項２】
前記記憶手段は、それぞれテンプレートＩＤが割り当てられた複数の名刺テンプレートデータを保持し、
前記処理手段は、移動通信端末からテンプレートＩＤと名刺用個人データとが送信された際は、移動通信端末から送信されたテンプレートＩＤに対応する名刺テンプレートデータを前記記憶手段から抽出し、抽出された名刺テンプレートデータと移動通信端末から送信された名刺用個人データとから名刺イメージを作成する、請求項１に記載の電子名刺システム。
【請求項３】
前記記憶手段は、名刺用個人データを格納する個人データ記憶装置と、名刺テンプレートデータを格納するテンプレート記憶装置とを含み、
上記個人データ記憶装置と上記テンプレート記憶装置とは通信網を介して接続された、請求項２に記載の電子名刺システム。
【請求項４】
名刺イメージには、更新ボタンが配置されており、上記更新ボタンを選択することで、この名刺イメージに対応する名刺ＩＤを指定した名刺取得要求がなされる、請求項１から３のいずれかに記載の電子名刺システム。
【発明の詳細な説明】
【技術分野】
【０００１】
本発明は、名刺ＩＤを用いて電子名刺を移動通信端末へ送信する電子名刺システムに関する。
【背景技術】
【０００２】
ビジネス等において、初対面の相手と対面したときや自身の所属等に変更があった後に新たな所属等を伝達するときに、会社名、所属、氏名、メールアドレス、ＵＲＬ、電話番号、住所や地図等の個人情報を伝達するために、これらの情報を印刷した紙媒体の名刺を渡すことが一般に行なわれている。
【０００３】
一方、例えば特許文献１には、これらの情報を電子データとして記録した電子名刺を作成し、記録媒体もしくは通信回線を用いて電子名刺を渡すことで個人情報を伝達する技術が開示されている。このような電子名刺によれば、受け取った後にそのまま電子データとしてコンピュータ等に記録して容易に管理することができる。
【特許文献１】特開平０６−０２８３７２号公報
【発明の開示】
【発明が解決しようとする課題】
【０００４】
ところで、上記のような電子名刺を用いる場合、個人情報をすべて紙媒体に記載するかもしくは電子データとして記録する必要がある。特に、電子名刺の場合、情報を全て伝達するためには、電子データを記録媒体に記録するか通信回線を用いて送信する必要があるため、伝達したい情報が多い場合には、必要とされる媒体の記憶容量若しくは回線の通信容量が多大なものとなり、不経済であった。
【０００５】
また、人事異動等で所属に変更があった場合に、紙媒体の名刺では変更後の情報を記載した名刺を新たに渡す必要があり、また、電子名刺ではデータを変更したものを新たに記録媒体に記録して渡すか若しくは通信回線を用いて電子名刺を送信する必要があるなど、新たな名刺情報の伝達のための手続きは煩雑であった。
【０００６】
本発明は上記課題に鑑みてなされたものであり、個人情報のデータの全てを用意することなく通信網を介して必要な情報を簡易に伝達することを可能にし、さらに、名刺送受信者間での連絡をおこなうことなく、簡易な操作のみで受け取った個人情報の更新を可能にした、電子名刺システムを提供することを目的としている。
【課題を解決するための手段】
【０００７】
上記目的を達成するため、本発明の電子名刺システムは、通信網に接続されたサーバ装置を備えた電子名刺システムであって、サーバ装置が処理手段と記憶手段と通信手段とを備え、処理手段は名刺用個人データを含む名刺イメージに名刺ＩＤを割り当てると共に名刺イメージと名刺ＩＤとを記憶手段に格納し、名刺ＩＤを指定して要求される名刺取得要求に応じて、名刺ＩＤに対応する上記名刺イメージを抽出し、通信手段を介して移動通信端末へ送信することを特徴としている。
【０００８】
このような電子名刺システムにおいて、記憶手段が名刺テンプレートデータを保持し、通信手段は移動通信端末からのテンプレート取得要求に応じて名刺テンプレートデータを選択してサーバ装置から移動通信端末へ送信し、処理手段は移動通信端末から送信される名刺テンプレートデータと名刺用個人データとから名刺イメージを作成するように構成してもよい。
【０００９】
さらに、記憶手段は、名刺用個人データを格納する個人データ記憶装置と、名刺テンプレートデータを格納するテンプレート記憶装置とを含み、個人データ記憶装置とテンプレート記憶装置とは通信網を介して接続されるように構成してもよい。
【００１０】
また、このような電子名刺システムにおいて、名刺イメージには更新ボタンが配置されており、更新ボタンを選択することで、名刺イメージに対応する名刺ＩＤを指定した名刺取得要求がなされるように構成されてもよい。
【発明の効果】
【００１１】
本発明によれば、電子名刺システムにおいて、通信網に接続されたサーバ装置の有する処理手段が名刺イメージに名刺ＩＤを割り当てて、名刺イメージ及び対応する名刺ＩＤを記憶手段に格納する。電子名刺の提供者が受信者へ名刺ＩＤのみを伝えて、受信者が通信網を介して名刺ＩＤを指定し取得要求すれば、サーバ装置の処理手段が名刺ＩＤに対応する名刺イメージを選択して受信者へ送信し、必要な情報を伝達することができる。これにより、個人情報の全てを含む電子データを記録媒体や通信網を介して直接にやりとりする必要がなくなり、記録媒体が不要になる。また、名刺ＩＤのみで簡易に情報伝達を行うことができるため、個人同士の間で個人情報を含む電子データの送信を不要にできることから、経済的、効率的な電子名刺の伝達が可能となる。
【００１２】
サーバ装置が名刺テンプレートデータを保有し、移動通信端末からテンプレートＩＤと名刺用個人データとが送信された際に、処理手段がテンプレートＩＤに対応する名刺テンプレートを前記記憶手段から抽出し、この名刺テンプレートと名刺用個人データとから名刺イメージを作成することで、ユーザーが移動通信端末から、文字の配置の仕方や名刺のデザインの仕方を考えることなく、簡単に電子名刺を作成することができる。
【００１３】
記憶手段が、名刺用個人データを格納する個人データ記憶装置と、名刺テンプレートデータを格納するテンプレート記憶装置とを含み、個人データ記憶装置とテンプレート記憶装置とが通信網を介して接続される場合、名刺テンプレートと個人データをそれぞれ別の場所で記録して管理することができる。例えばテンプレート及び個人データを別の管理者によって管理し、セキュリティの設定等もそれぞれ行うことが可能になるため、電子名刺システムの管理や運用の利便性を向上させることができる。
【００１４】
名刺イメージに更新ボタンが配置されており、更新ボタンを選択することで名刺イメージに対応する名刺ＩＤを指定した名刺取得要求がなされるように構成すれば、電子名刺を名刺イメージとして受け取った受信者がその名刺イメージ中の個人情報が更新されたものを得るとき、名刺イメージに配置された更新ボタンを選択し、取得要求のみをおこなえばよい。そのため、送信者が個人情報を更新した電子名刺を伝達する場合、受信者に新たな電子名刺を送信する手間を省くことができる。また受信者も送信者から直接電子名刺を受け取る手間がなくなり、名刺伝達者間の更新の連絡等も必須ではなくなるため、更新された電子名刺の伝達手続きを簡易にすることができる。
【発明を実施するための最良の形態】
【００１５】
以下、本発明の好ましい実施の形態を、添付図面を参照しながら詳細に説明する。
[第一実施形態]
まず、本発明の第一実施形態について説明する。図１は、第一実施形態の電子名刺システムを示すブロック図である。電子名刺システム１は、通信網であるインターネット１０に接続されたサーバ装置２を備え、インターネット１０を介して移動通信端末である携帯電話１１及び１２等に接続されている。サーバ装置２は、処理手段であるＣＰＵ３と記憶手段であるメモリ４と通信手段である通信部５とを備え、通信部５がＬＡＮケーブル等の適宜の通信手段を介してインターネット１０に接続されている。
【００１６】
本実施形態では、あらかじめ名刺用個人データを元に名刺イメージ６１が作成されている。名刺用個人データとは、氏名、所属企業名、住所、電話番号、メールアドレスといった、一般的に名刺に記載される事項である。また、名刺イメージ６１は、これらの事項が画面上において一般的な名刺の形式に表示されるように構成された、テキストデータ、画像データあるいはこれらの組み合わせからなる電子データである。
【００１７】
より詳細には、名刺イメージ６１は、図２に示すように、携帯電話の画面上に表示されるイメージであって、企業名、所属、氏名、住所等の個人情報６１ａのほか、更新ボタン６１ｂ，登録ボタン６１ｃ，音声ボタン６１ｄ，電話ボタン６１ｅ，携帯電話ボタン６１ｆ，メールボタン６１ｇ，ホームボタン６１ｈ，ＱＲコード（登録商標）６１ｉ等が配置されている。
【００１８】
更新ボタン６１ｂを選択、例えばクリックすることで、この名刺イメージ６１に対応する名刺ＩＤ、すなわち後述するアドレス６２を指定した名刺取得要求がなされる。登録ボタン６１ｃは、携帯電話１１及び１２の機能と連動し、この登録ボタン６１ｃを選択、すなわちクリックすることで、携帯電話内のメモリに名刺イメージ６１を登録することができる。また、音声ボタン６１ｄをクリックした場合には登録されている音声を再生することができる。さらに、ＱＲコード（登録商標）６１ｉは、この名刺イメージ６１のアドレス６２や個人情報６１ａを二次元バーコードデータにしたものである。
【００１９】
また、個人情報６１ａ中のメールボタン６１ｇはクリックするだけで携帯電話１１及び１２のメール作成画面が立ち上がるほか、電話ボタン６１ｅ，携帯電話ボタン６１ｆをクリックすればその番号に電話をかけることができる。また、地図自体を名刺イメージ６１中に表示してもよいし、関連サイトのＵＲＬがアイコンまたはバナー化されて表示されるようにしてもよい。さらに、ＵＲＬを各々が設定する携帯サイトと連携させることで、写真画像、動画、音声、ＧＰＳ位置情報、デジタルコンテンツなどを名刺メールのメニューに入れ込むことが可能となる。例えば、ホームボタン６１ｈをクリックするだけで当該住所を示す地図が立ち上がるように構成することができる。
【００２０】
図３に示すように、ＣＰＵ３は、あらかじめ作成された名刺イメージ６１に名刺ＩＤとしてのアドレス６２を割り当ててメモリ４に格納する（ステップＳＴ１）。アドレス６２とは、メモリ４に格納された名刺イメージ６１を特定するための個別に割り当てられた符号であって、具体的には名刺イメージ６１の格納されているインターネット上のアドレス、ＵＲＬ、通し番号などである。
【００２１】
この格納処理を繰り返すことで、複数の名刺イメージ６１が、それぞれ異なるアドレス６２を付与されてメモリ４に格納される。ＣＰＵ３は、このアドレス６２を、その名刺イメージ６１に対応するユーザー、すなわちその名刺イメージ６１の名刺用個人データにより特定されるユーザーにメール等の適宜の手段により通知する（ステップＳＴ２）。このユーザーは、自身の携帯電話１１にこのアドレス６２を記憶する。
【００２２】
ユーザーが他のユーザーに自分の個人情報を伝達する場合、すなわち名刺を渡す場合は、自身の携帯電話１１から相手の携帯電話１２にアドレス６２をメール等の適宜の手段により通知する（ステップＳＴ３）。その他、名刺イメージ６１内のＱＲコード（登録商標）６１ｉを携帯電話１２のカメラ機能で読み込む方法によりアドレス６２を通知してもよい。通知されたユーザーは、携帯電話１２の画面に表示されたアドレス６２を選択することで、インターネット１０を介してサーバ装置２にアクセスし、このアドレス６２に対応する名刺イメージ６１を要求することができる（ステップＳＴ４）。このようにアドレス６２を指定して名刺イメージ６１を要求する手順を名刺取得要求と定義する。
【００２３】
このような名刺取得要求があった場合には、ＣＰＵ３は、指定されたアドレス６２に対応する名刺イメージ６１をメモリ４から抽出し（ステップＳＴ５，ＳＴ６）、通信部５を介して携帯電話１２へ送信する（ステップＳＴ７）。このような処理により、名刺イメージ６１が携帯電話１２の画面に表示される。ユーザーは、携帯電話１２を操作することにより名刺イメージ６１を携帯電話１２内に記憶し、いつでも呼び出すことができる。
【００２４】
このような第一実施形態の電子名刺システム１によれば、名刺イメージ６１を携帯電話１２内に一度記憶すれば、サーバ装置２にアクセスする必要はなく、名刺イメージ６１は携帯電話１２のデータフォルダに保存されることになるため、名刺イメージ６１を開く際に通信費用は掛からない。また、第三者の携帯電話１２内に保存された名刺イメージ６１はこの第三者の意思によって別の他者に送信することも可能となり、名刺イメージ６１そのものが広告としての役割を果たすことになる。
【００２５】
[第二実施形態]
続いて、本発明の第二実施形態について説明する。なお、第一実施形態と同一の点については適宜同一の符号を付し、図示及び説明を省略する。図４は、第二実施形態の電子名刺システムを示すブロック図であり、図５は、電子名刺システムの動作手順を示すフロー図である。電子名刺システム１０１は、通信網であるインターネット１０に接続されたサーバ装置１０２を備え、インターネット１０を介して移動通信端末である携帯電話１１及び１２等に接続されている。サーバ装置１０２は、処理手段であるＣＰＵ１０３と記憶手段であるメモリ１０４と通信手段である通信部１０５とを備え、通信部１０５がＬＡＮケーブル等の適宜の通信手段を介してインターネット１０に接続されている。
【００２６】
本実施形態では、メモリ１０４が、それぞれテンプレートＩＤ１７１が割り当てられた複数の名刺テンプレートデータ１７２を保持しており、ユーザーがサーバ装置１０２に対し名刺用個人データを送信すると共にテンプレートＩＤ１７１を指定することで、サーバ装置１０２により名刺イメージ１６１が作成される点において第一実施形態と異なる。以下、このような名刺イメージ１６１の作成処理について説明する。
【００２７】
ＣＰＵ１０３は、あらかじめ作成された複数の名刺テンプレートデータ１７２にそれぞれテンプレートＩＤ１７１を割り当ててメモリ１０４に格納する（ステップＳＴ１１）。テンプレートＩＤ１７１とは、メモリ１０４に格納された名刺テンプレートデータ１７２を特定するための個別に割り当てられた符号であって、具体的には通し番号などである。
【００２８】
ＣＰＵ１０３は、携帯電話１１の画面に複数の名刺テンプレートデータ１７２を表示する（ステップＳＴ１２）。これに対し、ユーザーは任意の名刺テンプレートデータ１７２を選択する。すると、携帯電話１１から、選択された名刺テンプレートデータ１７２に対応するテンプレートＩＤ１７１が、インターネット１０を介してサーバ装置１０２に送信される。これと共に、ユーザーは、携帯電話１１からインターネット１０を介して名刺用個人データ１６０をサーバ装置１０２に送信する（ステップＳＴ１３）。
【００２９】
ＣＰＵ１０３は、以上のように携帯電話１１からテンプレートＩＤ１７１と名刺用個人データとが送信された際は、携帯電話１１から送信されたテンプレートＩＤ１７１に対応する名刺テンプレートデータ１７２をメモリ１０４から抽出し（ステップＳＴ１４，１５）、抽出された名刺テンプレートデータ１７２と携帯電話１１から送信された名刺用個人データ１００とから名刺イメージ１６１を作成する（ステップＳＴ１６）。その後、ＣＰＵ１０３は、第一実施形態と同様、複数の名刺イメージ１６１にそれぞれ異なるアドレス１６２を付与してメモリ１０４に格納する（ステップＳＴ１７）。ＣＰＵ１０３は、このアドレス１６２を、その名刺イメージ１６１に対応するユーザー、すなわちその名刺イメージ１６１の作成者にメールや画面上に表示するなどの適宜の手段により通知する。ユーザーは、自身の携帯電話１１にこのアドレス１６２を記憶することができる。
【００３０】
他のユーザーの携帯電話１２から名刺取得要求があった場合には、ＣＰＵ１０３は、指定された名刺ＩＤ１６２に対応する名刺イメージ１６１をメモリ１０４から抽出し、通信部１０５を介して携帯電話１２へ送信する。このような処理により、名刺イメージ１６１が携帯電話１２の画面に表示される。ユーザーは、携帯電話１２を操作することにより、名刺イメージ１６１を携帯電話１２内に記憶し、いつでも呼び出すことができる。
【００３１】
ここで、ＣＰＵ１０３が名刺テンプレートデータ１７２と携帯電話１１から送信された名刺用個人データ１６０とから名刺イメージ１６１を作成する手順は、携帯電話１２から名刺取得要求があった場合に都度行われてもよい。その場合は、ＣＰＵ１０３は、名刺用個人データ１６０と、この名刺用個人データ１６０に対応するユーザーが選択したテンプレートＩＤ１７１とを一対としてメモリ１０４に保存しておき、携帯電話１２から名刺取得要求があった場合には、このテンプレートＩＤ１７１に対応する名刺テンプレートデータ１７２と名刺用個人データ１６０とから名刺イメージ１６１を作成し、通信部１０５を介して携帯電話１２へ送信する。
【００３２】
以上の実施形態によれば、ユーザーがサーバ装置１０２にアクセスし、名刺用個人データの書き換え、追加、削除、修正を行うことが可能となる。またユーザーはパソコン画面を通じてサーバ装置１０２に直接アクセスし、名刺テンプレートデータ１７２をダウンロードすることで利用者の好みに応じた名刺メールを作成することができる。さらに、名刺テンプレートデータ１７２のみを入れ替えることも可能である。
【００３３】
[第三実施形態]
続いて、本発明の第三実施形態について説明する。なお、第一実施形態または第二実施形態と同一の点については適宜同一の符号を付し、図示及び説明を省略する。図６は第三実施形態の電子名刺システムを示すブロック図であり、図７は電子名刺システムの動作手順を示すフロー図である。電子名刺システム２０１は、通信網であるインターネット１０に接続された第一のサーバ装置２０２ａ及び第二のサーバ装置２０２ｂを備え、第一のサーバ装置２０２ａ及び第二のサーバ装置２０２ｂが互いにインターネット１０を介して接続されていると共に、移動通信端末である携帯電話１１及び１２等に接続されている。
【００３４】
第一のサーバ装置２０２ａは、処理手段であるＣＰＵ２０３と、名刺用個人データ１６０を格納する記憶手段である個人データメモリ２０４ａと、通信手段である通信部２０５ａとを備え、通信部２０５ａがＬＡＮケーブル等の適宜の通信手段を介してインターネット１０に接続されている。第二のサーバ装置２０２ｂは、少なくとも名刺テンプレートデータ１７２を格納する記憶手段であるテンプレートメモリ２０４ｂと、通信手段である通信部２０５ｂとを備え、通信部２０５ｂがＬＡＮケーブル等の適宜の通信手段を介してインターネット１０に接続されている。
【００３５】
本実施形態では、個人データメモリ２０４ａとテンプレートメモリ２０４ｂとが、別々のサーバ装置に備えられる点において第二実施形態と異なる。以下、このような電子名刺システム２０１における名刺イメージの作成処理について説明する。
【００３６】
ＣＰＵ２０３は、あらかじめ作成された複数の名刺テンプレートデータ１７２にそれぞれテンプレートＩＤ１７１を割り当ててテンプレートメモリ２０４ｂに格納する（ステップＳＴ２１）。
【００３７】
ＣＰＵ２０３は、テンプレートメモリ２０４ｂからテンプレートデータ１７２を取り出し、携帯電話１１の画面に、複数の名刺テンプレートデータ１７２を表示する（ステップＳＴ２２）。これに対し、ユーザーは、任意の名刺テンプレートデータ１７２を選択する。すると、携帯電話１１から、選択された名刺テンプレートデータ１７２に対応するテンプレートＩＤ１７１が、インターネット１０を介して第一のサーバ装置２０２ａに送信される。これと共に、ユーザーは、携帯電話１１からインターネット１０を介して名刺用個人データ１６０を第一のサーバ装置２０２ａに送信する（ステップＳＴ２３）。
【００３８】
以上のように携帯電話１１からテンプレートＩＤ１７１と名刺用個人データ１６０とが送信された際は、ＣＰＵ２０３は、名刺用個人データ１６０と、この名刺用個人データ１６０に対応するユーザーが選択したテンプレートＩＤ１７１とを一対として個人データメモリ２０４ａに保存する（ステップＳＴ２４）。
【００３９】
他のユーザーの携帯電話１２からアドレス１６２を指定して名刺取得要求（ステップＳＴ２５）があった場合には、ＣＰＵ２０３は、個人データメモリ２０４ａから、指定されたアドレス１６２に対応する名刺用個人データ１６０とテンプレートＩＤ１７１とを呼び出し（ステップＳＴ２６，ＳＴ２７）、呼び出されたテンプレートＩＤ１７１に対応する名刺テンプレートデータ１７２をテンプレートメモリ２０４ｂから呼び出し（ステップＳＴ２８，ＳＴ２９）、名刺テンプレートデータ１７２と名刺用個人データとから名刺イメージ１６１を作成し（ステップＳＴ３０）、通信部１０５を介して携帯電話１２へ送信する（ステップＳＴ３１）。このような処理により、名刺イメージ１６１が携帯電話１２の画面に表示される。ユーザーは、携帯電話１２を操作することにより名刺イメージ１６１を携帯電話１２内に記憶し、いつでも呼び出すことができる。
【００４０】
以上説明したように、本発明の電子名刺システムは、サーバ装置が処理手段と記憶手段と通信手段とを有し、処理手段は名刺用個人データを含む名刺イメージに名刺ＩＤを割り当てると共に名刺イメージと名刺ＩＤとを記憶手段に格納し、名刺ＩＤを指定して要求される名刺取得要求に応じて、名刺ＩＤに対応する上記名刺イメージを選択し、通信手段を介して移動通信端末へ送信するものであり、その主旨を逸脱しない範囲内において様々な形態で実施することができる。例えば、名刺イメージに含まれる個人情報は上記したものに限られないし、携帯電話１１と携帯電話１２とは同一の携帯電話であってもよい。
【図面の簡単な説明】
【００４１】
【図１】第一実施形態の電子名刺システムを示すブロック図である。
【図２】名刺イメージを示す図である。
【図３】第一実施形態の電子名刺システムの動作手順を示すフロー図である。
【図４】第二実施形態の電子名刺システムを示すブロック図である。
【図５】第二実施形態の電子名刺システムの動作手順を示すフロー図である。
【図６】第三実施形態の電子名刺システムを示すブロック図である。
【図７】第三実施形態の電子名刺システムの動作手順を示すフロー図である。
【符号の説明】
【００４２】
１，１０１，２０１  電子名刺システム
２，１０２，２０２ａ，２０２ｂ  サーバ装置
３，１０３，２０３  ＣＰＵ
４，１０４，２０４ａ，２０４ｂ  メモリ
５，１０５，２０５ａ，２０５ｂ  通信部
１０  インターネット
１１，１２  携帯電話
６１，１６１  名刺イメージ
６１ａ  個人情報
６１ｂ  更新ボタン
６１ｃ  登録ボタン
６１ｄ  音声ボタン
６１ｅ  電話ボタン
６１ｆ  携帯電話ボタン
６１ｇ  メールボタン
６１ｈ  ホームボタン
６１ｉ  ＱＲコード（登録商標）
【図３】
2010009322.tif 000003
【図１】
2010009322.tif 000004
【図２】
2010009322.tif 000005
【図４】
2010009322.tif 000006
【図５】
2010009322.tif 000007
【図６】
2010009322.tif 000008
【図７】
2010009322.tif 000009